(57)【特許請求の範囲】
【請求項１】
天井面と床面との間、又は対向する壁面同士の間に棒状の障害物を有する空間部を間仕切る簡易間仕切壁において、
壁板と、
伸縮自在な棒部材と該棒部材を伸長方向に付勢する付勢手段とを有し、前記付勢手段の付勢力により前記棒部材を前記障害物と前記天井面、床面又は壁面との間に渡設支持する支柱部材と、
前記棒部材の両端部に該棒部材と直交する方向に取り付けられ、前記壁板を着脱自在に挟着支持する挟着具を備えた対向する一対の梁部材と、
前記一対の梁部材の少なくとも一方に設けられ、前記梁部材上において水平移動及び水平回転可能であると共に前記障害物に係合する係合手段と、を備えたことを特徴とする簡易間仕切壁。
【請求項２】
前記棒状の障害物が、配管及び／又はダクトであることを特徴とする請求項１の簡易間仕切壁。
【請求項３】
前記係合手段は、
前記梁部材上の長手方向に形成された水平移動軌道と、
前記水平移動軌道上をスライドするスライド部材と、
前記スライド部材上に水平回転自在に支持されると共に、前記障害物に係合する係合面が断面凹状に形成された係合具と、
を備えたことを特徴とする請求項１又は２の簡易間仕切壁。
【請求項４】
前記簡易間仕切壁の中央部に、前記障害物を囲む開口が形成された四角板状の間仕切補助壁が設けられると共に、
該間仕切補助壁は、
前記梁部材に着脱自在に支持されると共に、前記開口の一部となる凹部を有する支持板と、
前記支持板の前記凹部を挟んだ対称位置を一対の支軸として、それぞれ揺動自在に支持されると共に、揺動後は前記開口の残り部分となる凹部をそれぞれ有する一対の揺動板と、を備え、
前記一対の揺動板は、前記障害物を前記支持板の凹部に支持する際に前記障害物が当接することにより前記支軸を中心に揺動することを特徴とする請求項１〜３の何れか１の簡易間仕切壁。
【発明の詳細な説明】
【技術分野】
【０００１】
本発明は、簡易間仕切壁に係り、特に、ビル設備等のリニューアル工事において養生に使用するのに好適な簡易間仕切壁に関する。
【背景技術】
【０００２】
ビル設備等は通常、経年劣化、用途変更、多機能化等の目的で、１５〜２０年の周期でリニューアルされている。このリニューアル工事の多くは、限られた時間内、例えば会社の休日等に行われ、その作業後は、元の状態に戻されなければならない。このため、作業前に所定の床面や壁をベニヤ板やビニールシート等で養生し、作業後には、前記養生を解体して作業に使った部屋や通路を清掃する必要があった。また、養生用のベニヤ板やビニールシート等を取り付ける壁がない場合には、作業空間と非作業空間とを遮断するために、簡易的に仕切壁を形成していた。従来、この間仕切は、足場用のパイプや木材を用いて壁枠を形成し、この壁枠にビニールやベニヤ板等を取り付けて形成していた。
【０００３】
しかしながら、従来の仕切壁は、前記壁枠を形成するために熟練した技術を要し、仕切壁の形成作業に時間がかかるという欠点があった。また、前記仕切壁は、壁枠にベニヤ板を釘止めして取り付けることが多かったが、この場合、ベニヤ板が損傷して再利用できないので、仕切壁のコストが上昇するという問題があった。
【０００４】
また、従来は、仕切壁に上述した欠点があったために、なるべく仕切壁を用いずに所定の壁面や床面を養生する養生方法が一般的であった。このため、特に工事用品等の搬送路として使用する廊下において養生する範囲が広くなり、養生の組立・解体作業及び清掃作業に多大な労働時間を要するという問題もあった。
【０００５】
これらを解決する手段として、特許文献１及び特許文献２では、高さ調節自在な支柱と、シート状の壁部材を固定する梁部材とを備えた簡易間仕切壁が開示されている。これによれば、天井の高さを問わず、低コストで簡単に簡易間仕切壁を組立てることができると記載されている。
【特許文献１】特開２０００−１２０２７５号公報
【特許文献２】特開２００４−１０７９８６号公報
【発明の開示】
【発明が解決しようとする課題】
【０００６】
しかしながら、特許文献１及び２では、配管又はダクト等の障害物が配された天井面の場合では、簡易間仕切壁（梁部材）との接触面が少なくなってしまうため、簡易間仕切壁を安定して固定・設置することができないといった問題があった。
【０００７】
本発明は、このような事情に鑑みてなされたもので、障害物が配された壁面、又は対向する壁面間に障害物が存在する空間においても、安定して設置することができる簡易間仕切壁を提供することを目的とする。
【課題を解決するための手段】
【０００８】
本発明の請求項１は前記目的を達成するために、天井面と床面との間、又は対向する壁面同士の間に棒状の障害物を有する空間部を間仕切る簡易間仕切壁において、壁板と、伸縮自在な棒部材と該棒部材を伸長方向に付勢する付勢手段とを有し、前記付勢手段の付勢力により前記棒部材を前記障害物と前記天井面、床面又は壁面との間に渡設支持する支柱部材と、前記棒部材の両端部に該棒部材と直交する方向に取り付けられ、前記壁板を着脱自在に挟着支持する挟着具を備えた対向する一対の梁部材と、前記一対の梁部材の少なくとも一方に設けられ、前記梁部材上において水平移動及び水平回転可能であると共に前記障害物に係合する係合手段と、を備えたことを特徴とする簡易間仕切壁を提供する。
【０００９】
従来、簡易間仕切壁は、天井面又は壁面とは略平面で接触支持していたため、例えば、配管又はダクト等の障害物が配された天井面（平面以外の天井面）と床面との間に簡易間仕切壁を渡設する際、障害物と簡易間仕切壁とが係合する面積（接触面積）が小さかった。このため、平面以外の天井面又は壁面と床面との間、又は空間内に配管が設けられた場所に、簡易間仕切壁を渡設することが困難であった。
【００１０】
本発明は、簡易間仕切壁の一対の梁部材の少なくとも一方に、水平移動及び水平回転可能な係合手段を設けることとした。これにより、天井面や壁面に配管又はダクト等の障害物が配された場合、及び／又は空間内に障害物が存在する場合において、障害物の向きや位置に適宜対応して、障害物と簡易間仕切壁とが係合する面積を増加させることができる。したがって、安定して簡易間仕切壁を渡設することができる。
【００１１】
請求項２は請求項１において、前記棒状の障害物が、配管及び／又はダクトであることを特徴とする。
【００１２】
請求項３は請求項１又は２において、前記係合手段は、前記梁部材上の長手方向に形成された水平移動軌道と、前記水平移動軌道上をスライドするスライド部材と、前記スライド部材上に水平回転自在に支持されると共に、前記障害物に係合する係合面が断面凹状に形成された係合具と、を備えたことを特徴とする。
【００１３】
請求項３は、請求項１の係合手段の構造を具体的に説明したものである。請求項２によれば、配管又はダクト等の障害物の配置向きや位置にあわせて、係合手段を移動又は回転し、障害物に係合させることができる。したがって、障害物が配された壁面又は空間においても、簡単に、かつ安定して簡易間仕切壁を渡設することができる。また、係合手段の凹部の断面形状は、略半円状、略Ｕ字状、等があげられるが、特に配管又はダクト等の円筒状障害物を係合できる形状が好ましい。また、係合手段は、配管又はダクト等の形状、サイズに対応して取替え可能である。また、係合手段の上端の縁部は、略平面になっており、２つの係合手段を相互に向かい合わせて使用する際に、２つの係合手段を、相互に安定して固定することができるように構成されている。また、水平移動軌道は、梁部材の上面に形成された、例えば、レール状のものであればよいが、これに限定されるものではない。また、スライド部材も、上述のレールに沿って移動可能なものであれば、特に限定されるものではない。
【００１４】
請求項４は請求項１〜３の何れか１において、前記簡易間仕切壁の中央部に、前記障害物を囲む開口が形成された四角板状の間仕切補助壁が設けられると共に、該間仕切補助壁は、前記梁部材に着脱自在に支持されると共に、前記開口の一部となる凹部を有する支持板と、前記支持板の前記凹部を挟んだ対称位置を一対の支軸として、それぞれ揺動自在に支持されると共に、揺動後は前記開口の残り部分となる凹部をそれぞれ有する一対の揺動板と、を備え、前記一対の揺動板は、前記障害物を前記支持板の凹部に支持する際に前記障害物が当接することにより前記支軸を中心に揺動することを特徴とする。
【００１５】
請求項４は、障害物と簡易間仕切壁との間に形成される隙間を塞ぐ（養生する）間仕切補助壁の構造を説明したものである。
【００１６】
請求項４によれば、配管又はダクト等の障害物が配された天井面側の梁部材の側面に、揺動（開閉）可能な間仕切補助壁を装着する。そして、開放状態の間仕切補助壁を、天井面の配管又はダクト等に押し当てると、２つの揺動板が揺動し、中央部に配管又はダクト等を囲む開口部を形成する（この開口部は、支持板の凹部と２つの揺動板の凹部があわせられて形成される）。したがって、配管又はダクト等の周囲に形成される隙間を、簡単に塞ぎ、かつ、簡易間仕切壁を配管又はダクト等が配された壁面又は空間に安定して固定することができる。また、作業空間で飛散した塵埃が、配管又はダクト等の周囲に形成される隙間から非作業空間に漏洩することはなく、非作業空間の汚染を確実に防止することができる。また、間仕切補助壁は着脱自在であるため、配管又はダクト等の障害物の配置向きや位置、径サイズに応じて、間仕切補助壁の使用又は不使用を選択することができる。
【発明の効果】
【００１７】
以上説明したように、本発明によれば、障害物が配された壁面、又は対向する壁面間に障害物が存在する空間においても、安定して簡易間仕切壁を設置することができる。
【発明を実施するための最良の形態】
【００１８】
以下、添付図面に従って、本発明に係る簡易間仕切壁の好ましい実施の形態について説明する。
【００１９】
図１は、本発明に係る簡易間仕切壁１００の全体構成を説明する図であり、図２は、図１の構成部材の一部を説明する分解斜視図であり、図３はポール（支柱部材）１０の連結部材１８を説明する斜視図である。また図４は、図１の係合手段６０を矢印方向Ａから視た矢視図であり、図５は、押さえばね１６を用いた壁板３０の取り付け状態を説明する側面図である。
【００２０】
図１及び図２に示すように、簡易間仕切壁１００は主として、障害物と天井面、床面又は壁面との間を渡設支持するポール（支柱部材）１０と、ポール１０の両端にポール１０と直交方向に連結される梁部材１２ａ、１２ｂと、上側の梁部材１２ａ上を水平移動及び水平回転可能な係合手段６０と、壁板３０と、を備えて構成されている。梁部材１２ａ、１２ｂは、Ｌ字状に形成され、３個の押さえばね１６、１６、１６と連結部材１８が設けられている。
【００２１】
また、図３の連結部材１８は、例えば、図示しない固定ねじ等により梁部材１２ａ、１２ｂの中央に取り付けられており、ポール１０の先端が挿入されるポール用穴２０が穿設されている。この連結部材１８には、このポール用穴２０に挿通するロックボタン用穴２２が穿設され、ポール１０の先端をポール用穴２０に挿入した際に後述するロックボタン２４が突出して嵌合するように構成されている。
【００２２】
ポール１０は主として、外筒３６と、外筒３６の端部に取り付けられたロッド３８及び内筒４０で構成されている。内筒４０は、外筒３６にスライド自在に支持され、外筒３６に取り付けられた固定ネジ４２を締結することにより固定される。したがって、内筒４０を外筒３６にスライドさせて固定ネジ４２を締結することにより、ポール１０を所定の長さに調節することができる。
【００２３】
また、ロッド３８は、内部にバネ等の弾性体（図示せず）が内蔵され、ポール１０の伸長方向に付勢力を作用するように構成される。したがって、ポール１０を縮めた状態で、対向する一対の面の間にポール１０を配置すると、ポール１０の伸長方向への付勢力によってポール１０を渡設支持することができる。
【００２４】
また、ロッド３８及び内筒４０の先端部には、それぞれロックボタン２４が設けられている。ロックボタン２４は、ロッド３８または内筒４０に出没自在に設けられるとともに、内部にバネ等の弾性体（図示せず）が内蔵されて、通常、突出状態に維持されている。したがって、ロックボタン２４を外部から押して没入させ、ポール１０の先端を連結部材１８のポール用穴２０に挿入すると、ロックボタン２４とロックボタン用穴２２が一致した際に、ロックボタン２４が突出してロックボタン用穴２２に嵌合する。これにより、梁部材１２ａ、１２ｂとポール１０とを連結することができる。
【００２５】
また、下側の梁部材１２ｂの床面側には、密着部材３４が形成されている。この密着部材３４は、スポンジ等の弾性力を有する材質であり、材質はウレタンが好ましい。その他、配管用保温材、ネオプレン等の薄いゴムシート等も使用できる。これにより、床面と梁部材１２ｂとを密着させることができる。
【００２６】
図４の係合手段６０は、水平方向に回転可能に設けられ、配管又はダクト等と係合する係合具６２と、上側の梁部材１２ａの長手方向に形成されたレール１３（水平移動軌道、図１及び２参照）と、レール１３上をスライドさせるスライド部材１５と、を備えている。図４に示すように、係合具６２の断面形状は、半円状の凹状であり、天井面に配された配管又はダクト等を係合する形状に形成されている。また、スライド部材１５の上に係合具６２が回転可能に支持される。これにより、係合具６２は、配管又はダクト等の位置や向きに応じて、上側の梁部材１２ａの長手方向に水平移動及び水平回転可能となっている。
【００２７】
また、係合具６２の内側には、緩衝材６４が形成されている。これにより、係合具６２の先端を、配管又はダクト等が配された天井面に当接すると、緩衝材６４により配管又はダクト等と係合具６２とを密着させることができる。また、緩衝材６４が当接させる時の衝撃を吸収するため、配管又はダクト等の表面の損傷を防止することができる。
【００２８】
緩衝材６４の材質は、スポンジ等の弾性力を有する材質であり、特にウレタンが好ましいが、これに限定されるものではない。その他、配管用保温材、ネオプレン等の薄いゴムシート等を使用できる。
【００２９】
また係合具６２の凹部の断面形状又はサイズは、設置する天井面に配された配管又はダクト等の形状又はサイズに併せて取替え可能である。例えば、本実施の形態では、係合具６２の凹部の断面形状が、円筒状の配管又はダクト等にあわせた半円状である場合を示したが、四角柱状の配管又はダクト等にあわせた断面形状であってもよい。これにより、天井面に配された配管又はダクト等の障害物と係合する面積が大きい係合具６２を選択して使用することができる。また、この係合具６２は、水平方向に回転自在で、スライド部材１５により水平移動できるため、配管の位置や向きにあわせて、簡易間仕切壁を天井面に安定して固定することができる。また、係合手段６０は、金属製、ゴム等の樹脂製でもよい。
【００３０】
また、図５に示すように、壁板３０は、押さえばね１６と下側の梁部材１２ｂとの間で挟着支持されている。このように、壁板３０を固定することにより、天井面と床面との間の空間を、隙間なく仕切ることができる。
【００３１】
次に上記の如く構成された簡易間仕切壁１００の作用について説明する。
【００３２】
図６は、天井面４４に配された配管１及びダクト２と床面４６との間に、本発明の簡易間仕切壁１００を形成する手順を示す図である。
【００３３】
まず、ロックボタン２４を押しながらポール１０先端を連結部材１８のポール用穴２０に挿入し、ロックボタン２４とロックボタン用穴２２を嵌合させる。次いで、間仕切壁を必要とする場所（作業空間と非作業空間を遮断する場所）の天井面４４に配されたダクト２の径にあわせながら、係合手段６０を水平方向にスライド及び回転させてダクト２に対する係合手段６０の係合具６２の位置と向きを決めて、上側の梁部材１２ａに図示しないボルト等で固定させる。そして、図６（Ａ）に示すように、ポール１０の上部に形成された係合手段６０を、天井面４４に配されたダクト２に当接させ、下側の梁部材１２ｂを床面４６に当接させる。このとき、係合手段６０は、緩衝材６４を介してダクト２と密着され、梁部材１２ｂの床面側は、密着部材３４を介して床面に密着される。
【００３４】
このように、梁部材１２ａ、１２ｂとポール１０が連結され、係合手段６０によって天井面４４と梁部材１２ａとが固定されて、支柱骨格５０が形成される。すなわち、ポール１０は押し縮められた状態で、ポール１０の長さが、天井面４４に配されたダクト２と、床面４６との間隔に合わせられるように渡設される。これにより、ポール１０の両端がロッド３８内の弾性体の付勢力によって、天井面４４に配されたダクト２と床面４６とに押し付けられ、ポール１０はダクト２と床面４６との間に渡設支持される。
【００３５】
次に、上記の作業を繰り返し、図６（Ｂ）に示すように複数の支柱骨格５０（図６では２本のみ図示）を並設する。支柱骨格５０は、梁部材１２ａ、１２ａ同士又は１２ｂ、１２ｂ同士が接するように配置し、間仕切壁を必要とする場所全体に設置する。なお、間仕切壁を必要とする場所の端部で梁部材１２ａ、１２ａ同士又は１２ｂ、１２ｂ同士が接しない場合には、適切な長さの梁部材１２を連結して、支柱骨格５０を設置する。
【００３６】
次に、図６（Ｃ）に示すように、下側の梁部材１２ｂの押さえばね１６に壁板３０を差し込み、壁板３０をポール１０に挟着支持する。そして、図６（Ｄ）に示すように、上側の梁部材１２ａの押さえばね１６にも壁板３０を差し込んで、壁板３０をポール１０に挟着支持する。なお、前記壁板３０は、段ボール状に整形されたポリプロピレンの板、ベニヤ板、または塩ビ板等で形成されており、押さえばね１６で挟着支持できる厚さで、且つ、梁部材１２と同じ幅に形成されている。また、壁板３０の長さは、天井面４４と床面４６との間隔の半分よりも大きければ何でもよく、図６（Ｄ）に示したように上下の壁板３０、３０が重なってもよい。このような長さの壁板３０を使用すると、天井面４４と床面４６との間隔が広がっても壁板３０の重なる面積が変わるだけなので、壁板３０の長さを変更する必要がない。
【００３７】
次に、図６（Ｅ）に示すように、全ての支柱骨格５０に上下の壁板３０を取り付けて間仕切を形成した後、図６（Ｆ）に示すように、粘着性のテープ４８で壁板３０の目張りを行う。前述したように、天井面４４に配された配管１又はダクト２と梁部材１２ａとは、緩衝材６４により密着しており、床面４６と梁部材１２ｂとは、密着部材３４により密着しているので、本発明の間仕切は、作業空間と非作業空間とを完全に遮断することができる。したがって、作業空間で飛散した塵埃が非作業空間に漏洩することはなく、非作業空間の汚染を防止することができる。
【００３８】
また、本実施の形態において、配管１又はダクト２の周辺に形成された隙間をさらに塞ぐために、間仕切補助壁７０を上側の梁部材１２ａ上に設置することが好ましい。
【００３９】
図７は、本実施の形態の応用例として、本実施の形態における簡易間仕切壁１００の上部に、間仕切補助壁７０を設けた簡易間仕切壁１００’である。
【００４０】
図７に示すように、間仕切補助壁７０は、上側の梁部材１２ａの長手方向の側面上に、梁部材１２ａと同じ幅で設けられている。間仕切補助壁７０は、Ｕ字状凹部が形成された支持板７２と、支持板７２の凹部の縁端をそれぞれ支軸として揺動可能に形成された２つの揺動板７２ａ、７２ｂと、を備えている。そして、間仕切補助壁７０は、図８に示すように、押さえばね１６により梁部材１２ａの側面と挟着支持される。
【００４１】
図９は、間仕切補助壁７０の動作について説明したものである。図９（Ａ）の開放状態の間仕切補助壁７０に、配管１が揺動板７２ａ、７２ｂの端部に押し当てられると、図９（Ｂ）に示すように、揺動板が支軸をもとに閉じる方向（矢印の方向）に回転する。そして、図９（Ｃ）に示すように、支持板７２及び揺動板７２ａ、７２ｂは、間仕切補助壁７０の中央部に、配管１の周囲を囲む開口部を形成し、配管１の周囲と梁部材１２ａとの間の隙間を塞ぐ。
【００４２】
このように、間仕切補助壁７０を簡易間仕切壁１００と配管又はダクト等が配された天井面との間に設置することにより、簡易間仕切壁１００と天井面との間を、ほぼ隙間なく確実に塞ぐことができる。
【００４３】
本実施の形態においては、配管又はダクト等の配置向きが、簡易間仕切壁１００の並設方向に対して略直角である場合を示したが、図１０に示すように、簡易間仕切壁１００の並設方向に対して略平行である場合においても、係合手段６０を水平移動及び回転させて、ダクト２を支持することができる（このとき、間仕切補助壁７０は設置しない）。
【００４４】
また、本実施の形態においては、配管又はダクトが配された天井面に簡易間仕切壁１００を設置する場合を説明したが、図１１に示すように、対向する壁面間の中央部に配管又はダクト（同図ではダクト１）が設けられている場合においても、２つの簡易間仕切壁１００の係合手段６０、６０を相互に向き合わせるように、組み合わせて配置することができる。これにより、配管又はダクトを損傷させることなく、簡易間仕切壁１００を安定して設置することができる。このとき、係合手段６０の上端の縁部は互いに略平面で接し、図示しない固定治具（ボルト、ねじ等）により縁部同士を連結することができる。また、図示しないが、この相互に向き合った梁部材１２ａ、１２ａの間に、間仕切補助壁７０を装着して、ダクト１の周辺に形成される隙間を塞ぐことも可能である。
【００４５】
また、本実施の形態では、配管又はダクト等の障害物が配された壁面又は対向する壁面間の間に簡易間仕切壁を設置する場合を述べたが、係合手段６０を取り外して、平面の壁面又は天井面等に、従来通り使用することも可能である。
【００４６】
このように、本実施の形態の簡易間仕切壁を用いることにより、障害物が配された壁面、又は対向する壁面間に障害物が存在する空間においても、可動自在な係合手段６０により、障害物と簡易間仕切壁とが係合する面積を増加させることができる。したがって、簡易間仕切壁を安定して固定することができる。また、簡易間仕切壁の梁部材と天井面との隙間を、間仕切補助壁７０により簡単に塞ぐことができるため、リニューアル工事等で発生する塵埃等の飛散を抑制することができる。さらに、ロッド３８内の弾性体（図示せず）でポール１０を渡設支持するとともに、押さえばね１６で壁板を挟着支持するので、簡単に間仕切壁を形成することができる。また、本実施の形態のポール１０は、内筒４０をスライドさせることによりその長さを調節することができるので、天井面に配された配管又はダクト等の障害物と床面との間隔に関係なく、間仕切壁を形成することができる。
【００４７】
ところで、形成した簡易間仕切壁を解体する場合、上述した作業と逆の手順で行う。即ち、目張りに使用した粘着性のテープ４８を剥がし、各壁板３０を押さえばね１６から引き抜き、支柱骨格５０を取り外す。取り外した支柱骨格５０は、係合手段６０を取り外し、さらにロックボタン２４を押しながらポール１０を引き抜いて、ポール１０と梁部材１２ａ、１２ｂとに分解する。
【００４８】
このように、本実施の形態の簡易間仕切壁１００は、簡単に解体することができる。また、壁板３０は、梁部材１２ａ、１２ｂに挟着されていただけなので損傷することはなく、再利用することができる。さらに、支柱骨格５０はポール１０と梁部材１２ａ、１２ｂに分解できるので、容易に搬送することができる。
【００４９】
なお、上述した実施の形態では、簡易間仕切壁をリニューアル工事において使用した例であるが、養生や塵埃対策を行う他の工事において使用してもよい。
【００５０】
このように、本発明によれば、障害物が配された壁面、又は対向する壁面間に障害物が存在する空間においても、安定して簡易間仕切壁を設置することができる。また、簡易間仕切壁の梁部材と天井面との隙間を、間仕切補助壁により簡単に塞ぐことができるため、リニューアル工事等の作業空間で飛散した塵埃が非作業空間に漏洩することはなく、非作業空間の汚染を防止することができる。
【００５１】
また、本発明によれば、特に、配管又はダクト等が配された天井面などにおける、リニューアル工事等の時間の限られた作業をする際に、簡単に簡易間仕切壁を組立て・解体することができ、工期を大幅に短縮することができる。
【図面の簡単な説明】
【００５２】
【図１】本発明に係る簡易間仕切壁の全体構成を説明する図である。
【図２】本発明に係る図１の簡易間仕切壁の分解斜視図である。
【図３】本発明に係る図１の連結部材を説明する図である。
【図４】本発明に係る図１の係合手段を説明する側面図である。
【図５】本発明に係る図１の壁板の取り付け状態を説明する図である。
【図６】本発明に係る簡易間仕切壁の作用を示す図である。
【図７】本発明に係る簡易間仕切壁の応用例を説明する図である。
【図８】本発明に係る図７の壁板及び間仕切補助壁の取り付け状態を説明する図である。
【図９】本発明に係る間仕切補助壁の動作を説明する図である。
【図１０】本発明に係る簡易間仕切壁の他の設置形態を示す斜視図である。
【図１１】本発明に係る簡易間仕切壁の他の設置形態を示す斜視図である。
【符号の説明】
【００５３】
１…配管、２…ダクト、１０…ポール（支柱部材）、１２ａ、１２ｂ…梁部材、１３…レール（水平移動軌道）、１５…スライド部材、１６…押さえばね（挟着具）、３０…壁板、３４…密着部材、３６…外筒、３８…ロッド、４０…内筒、５０…支柱骨格、６０…係合手段、６２…係合具、６４…緩衝材、７０…間仕切補助壁、７２…支持板、７２ａ、７２ｂ…揺動板、１００、１００’…簡易間仕切壁
【図１】
0004535279.tif 000002
【図２】
0004535279.tif 000003
【図３】
0004535279.tif 000004
【図４】
0004535279.tif 000005
【図５】
0004535279.tif 000006
【図６】
0004535279.tif 000007
【図７】
0004535279.tif 000008
【図８】
0004535279.tif 000009
【図９】
0004535279.tif 000010
【図１０】
0004535279.tif 000011
【図１１】
0004535279.tif 000012